(57)【要約】【課題】  ある原稿を複数の解像度で読み込んだ場合におけるそれぞれの正確なスキャンデータ量及び画像品質を簡単に把握することができようにする。【解決手段】  複合機のスキャナ部が最高解像度で読み取ったスキャンデータを（Ｓ２）、スキャンデータ変換部が別の解像度に変換し（Ｓ４）、プロパティ情報検出部が変換前後の各スキャンデータの解像度及びデータ量情報を含むプロパティ情報を検出し（Ｓ５）、スキャンデータ送信部が各プロパティ情報をＰＣに送信する（Ｓ７）。ＰＣでは、当該プロパティ情報を表示制御部がディスプレイに表示させ（ＳＳ３）、ユーザが所望解像度を選択すると（ＳＳ４でＹＥＳ）、当該選択指示を指示送信部が複合機に送信する（ＳＳ５）。複合機は、ＰＣからの当該指示が示す解像度のスキャンデータをＰＣに送信し（Ｓ９）、ＰＣは、当該スキャンデータをディスプレイに表示する（ＳＳ６）。【選択図】      図３
2006211387.tif 000002
【特許請求の範囲】
【請求項１】
スキャンデータを記憶可能な１以上の画像読取装置と、当該画像読取装置から受信した前記スキャンデータが表示される表示手段を有し、当該画像読取装置にネットワークを介して接続された１以上のコンピュータとを備えるファイル管理システムであって、
前記画像読取装置は、予定された解像度で原稿上の画像を読み取るスキャナ手段と、このスキャナ手段によって読み取られたスキャンデータを、上記とは別の予め定められた解像度に変換するスキャンデータ変換手段と、前記スキャンデータ変換手段による変換前後のスキャンデータについての解像度及びデータ量情報を含むプロパティ情報を検出するプロパティ情報検出手段と、前記変換前後のスキャンデータ又はこれらについてのプロパティ情報を前記コンピュータに送信するスキャンデータ送信手段とを有し、
前記コンピュータは、前記画像読取装置のスキャンデータ送信手段から送信されてくる前記各プロパティ情報を前記表示手段に表示させる表示制御手段と、この表示制御手段によって前記表示手段に表示されるプロパティ情報に基づいた所望解像度の選択指示をユーザから受け付ける解像度選択指示受付手段と、この解像度選択指示受付手段によって受け付けられた解像度選択指示を前記画像読取装置に送信する指示送信手段とを有し、
前記画像読取装置のスキャンデータ送信手段は、前記コンピュータの指示送信手段から送信されてくる前記指示が示す解像度のスキャンデータを前記コンピュータに送信し、前記コンピュータの表示制御手段は、当該画像読取装置のスキャンデータ送信手段から送信されてきたスキャンデータを前記表示手段に表示させるファイル管理システム。
【請求項２】
前記コンピュータは、前記スキャンデータを記憶可能な記憶手段と、前記表示制御手段によって前記表示手段に表示されているスキャンデータの保存指示を受け付ける保存指示受付手段と、前記保存指示受付手段によって前記スキャンデータの保存指示が受け付けられたとき、当該スキャンデータを前記記憶手段に保存する制御手段と
を更に備える請求項１に記載のファイル管理システム。
【請求項３】
前記画像読取装置のスキャンデータ送信手段は、前記プロパティ情報に加えて、前記変換前後のスキャンデータに基づいて作成されたサムネイル画像のデータを前記コンピュータに送信し、
前記コンピュータの表示制御手段は、前記受信したプロパティ情報及びサムネイル画像を前記表示手段に表示させる請求項１又は請求項２に記載のファイル管理システム。
【請求項４】
前記画像読取装置は、前記コンピュータの指示送信手段からの指示に基づいた解像度からなるスキャンデータの送信後、当該送信したスキャンデータ以外の別解像度スキャンデータを、前記各スキャンデータが記憶されているスキャンデータ記憶手段から消去するスキャンデータ消去手段を更に備える請求項１乃至請求項３のいずれかに記載のファイル管理システム。
【請求項５】
前記画像読取装置は、前記コンピュータの指示送信手段からの指示に基づいたスキャンデータの送信後、変換前の元スキャンデータのみを、前記各スキャンデータが記憶されているスキャンデータ記憶手段に残すスキャンデータセーブ手段を更に備える請求項１乃至請求項３のいずれかに記載のファイル管理システム。
【請求項６】
前記スキャナ手段による原稿読取時の解像度、又は前記スキャンデータ変換手段によるスキャンデータ変換時の解像度の少なくとも一方は、ユーザによって任意に設定される請求項１乃至請求項５のいずれかに記載のファイル管理システム。
【請求項７】
原稿から読み取ったスキャンデータを、ネットワークを介してコンピュータに送信可能な画像読取装置であって、
予定された解像度で原稿上の画像を読み取るスキャナ手段と、
前記スキャナ手段によって読み取られたスキャンデータを、上記とは別の予め定められた解像度に変換するスキャンデータ変換手段と、
前記スキャンデータ変換手段による変換前後のスキャンデータについての解像度及びデータ量情報を含むプロパティ情報を検出するプロパティ情報検出手段と、
前記各プロパティ情報を前記コンピュータに送信すると共に、前記コンピュータから指示された解像度のスキャンデータを前記コンピュータに送信するスキャンデータ送信手段と
を有する画像読取装置。
【請求項８】
画像読取装置からネットワークを介して受信したスキャンデータが表示される表示手段を有する画像表示装置であって、
同一画像を異なる解像度で読み取った場合と同等の各スキャンデータのそれぞれの解像度と、これら各解像度のデータ量情報とを含む、前記画像読取装置から受信されたプロパティ情報を前記表示手段に表示させる表示制御手段と、
前記表示制御手段によって前記表示手段に表示されるプロパティ情報に基づいた所望解像度選択指示をユーザから受け付けて前記画像読取装置に送信する指示送信手段とを有し、
前記表示制御手段は、前記指示送信手段から前記画像読取装置に送信した指示が示す解像度のスキャンデータであって、前記画像読取装置から送り返されてくるスキャンデータを前記表示手段に表示させる画像表示装置。
【請求項９】
画像読取装置からネットワークを介して受信したスキャンデータが表示される表示手段を有するコンピュータを、
同一画像を異なる解像度で読み取った場合と同等の各スキャンデータのそれぞれの解像度と、これら各解像度のデータ量情報とを含む、前記画像読取装置から受信されたプロパティ情報を前記表示手段に表示させる表示制御手段と、
前記表示制御手段によって前記表示手段に表示されるプロパティ情報に基づいた所望解像度選択指示をユーザから受け付けて前記画像読取装置に送信する指示送信手段とを有し、
前記表示制御手段が、前記指示送信手段から前記画像読取装置に送信した指示が示す解像度のスキャンデータであって、前記画像読取装置から送り返されてくるスキャンデータを前記表示手段に表示させる画像表示装置として機能させる画像表示プログラム。
【発明の詳細な説明】
【技術分野】
【０００１】
本発明は、ファイル管理システム、画像読取装置、画像表示装置、及び画像表示プログラムに関し、特に、スキャンデータ保存時の解像度を設定する技術に関するものである。
【背景技術】
【０００２】
従来から、特許文献１に示されるように、スキャナによって原稿を複数の解像度で読み取った場合の各スキャンデータ量を、ネットワーク上のコンピュータに表示させるネットワークスキャナ装置が提案されている。このネットワークスキャナ装置としてのデジタル複合機１は、制御部１０が、スキャナ部２４によって設定解像度で読み取られた原稿のスキャンデータ量を、この設定解像度以外の解像度で読み取った場合の値に換算し、設定解像度で読み取った原稿のスキャンデータ量と当該換算値とを、デジタル複合機１の表示パネル２０に表示するように構成されている。
【特許文献１】特開２００４−２２１８２６号公報
【発明の開示】
【発明が解決しようとする課題】
【０００３】
しかしながら、上記ネットワークスキャナ装置の場合、ある原稿を複数の解像度で読み込んだ場合におけるそれぞれのスキャンデータ量は把握できるが、これら複数の解像度からなる各スキャンデータの画像品質、すなわち、どの程度の鮮明さで画像が表示又は印刷等されるかまで把握することはできない。
【０００４】
本発明は、上記の問題を解決するためになされたもので、ある原稿を複数の解像度で読み込んだとした場合のそれぞれの正確なスキャンデータ量及び画像品質を簡単に把握することができるようにすることを目的とするものである。
【課題を解決するための手段】
【０００５】
本発明の請求項１に記載の発明は、スキャンデータを記憶可能な１以上の画像読取装置と、当該画像読取装置から受信した前記スキャンデータが表示される表示手段を有し、当該画像読取装置にネットワークを介して接続された１以上のコンピュータとを備えるファイル管理システムであって、
前記画像読取装置は、予定された解像度で原稿上の画像を読み取るスキャナ手段と、このスキャナ手段によって読み取られたスキャンデータを、上記とは別の予め定められた解像度に変換するスキャンデータ変換手段と、前記スキャンデータ変換手段による変換前後のスキャンデータについての解像度及びデータ量情報を含むプロパティ情報を検出するプロパティ情報検出手段と、前記変換前後のスキャンデータ又はこれらについてのプロパティ情報を前記コンピュータに送信するスキャンデータ送信手段とを有し、
前記コンピュータは、前記画像読取装置のスキャンデータ送信手段から送信されてくる前記各プロパティ情報を前記表示手段に表示させる表示制御手段と、この表示制御手段によって前記表示手段に表示されるプロパティ情報に基づいた所望解像度の選択指示をユーザから受け付ける解像度選択指示受付手段と、この解像度選択指示受付手段によって受け付けられた解像度選択指示を前記画像読取装置に送信する指示送信手段とを有し、
前記画像読取装置のスキャンデータ送信手段は、前記コンピュータの指示送信手段から送信されてくる前記指示が示す解像度のスキャンデータを前記コンピュータに送信し、前記コンピュータの表示制御手段は、当該画像読取装置のスキャンデータ送信手段から送信されてきたスキャンデータを前記表示手段に表示させるものである。
【０００６】
この構成では、画像読取装置のスキャナ手段が予定された解像度で読み取ったスキャンデータを、これとは別の異なる解像度にスキャンデータ変換手段が変換し、プロパティ情報検出手段は、これら変換前後のスキャンデータについての解像度及びデータ量情報を含むプロパティ情報を検出し、スキャンデータ送信手段がこれら各プロパティ情報をコンピュータに送信する。コンピュータでは、当該プロパティ情報を表示制御手段が表示手段に表示させ、ユーザによる所望解像度の選択指示を解像度選択指示受付手段が受け付け、指示送信手段が画像読取装置に送信する。画像読取装置では、コンピュータからの指示が示す解像度のスキャンデータをスキャンデータ送信手段がコンピュータに送信し、これに対応して、コンピュータでは、表示制御手段が当該スキャンデータを表示手段に表示させるようになっている。
【０００７】
また、請求項２に記載の発明は、請求項１に記載のファイル管理システムであって、前記コンピュータは、前記スキャンデータを記憶可能な記憶手段と、前記表示制御手段によって前記表示手段に表示されているスキャンデータの保存指示を受け付ける保存指示受付手段と、前記保存指示受付手段によって前記スキャンデータの保存指示が受け付けられたとき、当該スキャンデータを前記記憶手段に保存する制御手段と
を更に備えるものである。
【０００８】
この構成では、表示手段に表示されているスキャンデータの保存指示が保存指示受付手段によって受け付けられると、当該表示がされており既にコンピュータ側に受信されているスキャンデータが、制御手段によって直ちに記憶手段に保存されるので、ユーザ所望の解像度からなるスキャンデータを迅速にコンピュータに保存することができる。
【０００９】
また、請求項３に記載の発明は、請求項１又は請求項２に記載のファイル管理システムであって、前記画像読取装置のスキャンデータ送信手段は、前記プロパティ情報に加えて、前記変換前後のスキャンデータに基づいて作成されたサムネイル画像のデータを前記コンピュータに送信し、
前記コンピュータの表示制御手段は、前記受信したプロパティ情報及びサムネイル画像を前記表示手段に表示させるものである。
【００１０】
この構成では、画像読取装置のスキャンデータ送信手段から送信されてきた上記変換前後の各スキャンデータのサムネイル画像が、コンピュータの表示制御手段によって表示手段に表示されるようになっている。
【００１１】
また、請求項４に記載の発明は、請求項１乃至請求項３のいずれかに記載のファイル管理システムであって、前記画像読取装置は、前記コンピュータの指示送信手段からの指示に基づいた解像度からなるスキャンデータの送信後、当該送信したスキャンデータ以外の別解像度スキャンデータを、前記各スキャンデータが記憶されているスキャンデータ記憶手段から消去するスキャンデータ消去手段を更に備えるものである。
【００１２】
この構成では、コンピュータから指示された解像度からなるスキャンデータを、画像読取装置が当該コンピュータに対して送信した後は、不要となる蓋然性が高いその他の解像度からなるスキャンデータを、スキャンデータ消去手段がスキャンデータ記憶手段から消去するようにしている。
【００１３】
また、請求項５に記載の発明は、請求項１乃至請求項３のいずれかに記載のファイル管理システムであって、前記画像読取装置は、前記コンピュータの指示送信手段からの指示に基づいたスキャンデータの送信後、変換前の元スキャンデータのみを、前記各スキャンデータが記憶されているスキャンデータ記憶手段に残すスキャンデータセーブ手段を更に備えるものである。
【００１４】
この構成によれば、コンピュータから指示された解像度からなるスキャンデータを、画像読取装置が当該コンピュータに対して送信した後は、他の解像度にスキャンデータを変換し易い変換前の元スキャンデータを、スキャンデータセーブ手段がスキャンデータ記憶手段に残すようにしている。
【００１５】
また、請求項６に記載の発明は、請求項１乃至請求項５のいずれかに記載のファイル管理システムであって、前記スキャナ手段による原稿読取時の解像度、又は前記スキャンデータ変換手段によるスキャンデータ変換時の解像度の少なくとも一方は、ユーザによって任意に設定されるものである。
【００１６】
この構成では、ユーザが任意の解像度で、スキャナ手段による原稿読取時の解像度、又は前記スキャンデータ変換手段によるスキャンデータ変換時の解像度の少なくとも一方を設定するようになっている。
【００１７】
また、請求項７に記載の発明は、原稿から読み取ったスキャンデータを、ネットワークを介してコンピュータに送信可能な画像読取装置であって、
予定された解像度で原稿上の画像を読み取るスキャナ手段と、
前記スキャナ手段によって読み取られたスキャンデータを、上記とは別の予め定められた解像度に変換するスキャンデータ変換手段と、
前記スキャンデータ変換手段による変換前後のスキャンデータについての解像度及びデータ量情報を含むプロパティ情報を検出するプロパティ情報検出手段と、
前記各プロパティ情報を前記コンピュータに送信すると共に、前記コンピュータから指示された解像度のスキャンデータを前記コンピュータに送信するスキャンデータ送信手段と
を有するものである。
【００１８】
また、請求項８に記載の発明は、画像読取装置からネットワークを介して受信したスキャンデータが表示される表示手段を有する画像表示装置であって、
同一画像を異なる解像度で読み取った場合と同等の各スキャンデータのそれぞれの解像度と、これら各解像度のデータ量情報とを含む、前記画像読取装置から受信されたプロパティ情報を前記表示手段に表示させる表示制御手段と、
前記表示制御手段によって前記表示手段に表示されるプロパティ情報に基づいた所望解像度選択指示をユーザから受け付けて前記画像読取装置に送信する指示送信手段とを有し、
前記表示制御手段は、前記指示送信手段から前記画像読取装置に送信した指示が示す解像度のスキャンデータであって、前記画像読取装置から送り返されてくるスキャンデータを前記表示手段に表示させるものである。
【００１９】
また、請求項９に記載の発明は、画像読取装置からネットワークを介して受信したスキャンデータが表示される表示手段を有するコンピュータを、
同一画像を異なる解像度で読み取った場合と同等の各スキャンデータのそれぞれの解像度と、これら各解像度のデータ量情報とを含む、前記画像読取装置から受信されたプロパティ情報を前記表示手段に表示させる表示制御手段と、
前記表示制御手段によって前記表示手段に表示されるプロパティ情報に基づいた所望解像度選択指示をユーザから受け付けて前記画像読取装置に送信する指示送信手段とを有し、
前記表示制御手段が、前記指示送信手段から前記画像読取装置に送信した指示が示す解像度のスキャンデータであって、前記画像読取装置から送り返されてくるスキャンデータを前記表示手段に表示させる画像表示装置として機能させる画像表示プログラムである。
【発明の効果】
【００２０】
請求項１、請求項７、請求項８及び請求項９に記載の発明によれば、ある原稿を複数の解像度で画像読取装置に読み込んだ場合におけるそれぞれのスキャンデータのデータ量と、各スキャンデータの内容・鮮明さ（画像品質）を、ユーザがコンピュータ側で簡単に把握することが可能になる。また、当該スキャンデータ量は、元のスキャンデータを実際にそれぞれの解像度に変換して得たものであるので、正確な数値が算出される。
【００２１】
請求項２に記載の発明によれば、表示手段に表示されているスキャンデータの保存指示が保存指示受付手段によって受け付けられると、当該表示がされており既にコンピュータ側に受信されているスキャンデータが直ちに保存されるので、ユーザ所望の解像度からなるスキャンデータを迅速にコンピュータに保存することができる。
【００２２】
請求項３に記載の発明によれば、ユーザは、各解像度のスキャンデータのサムネイル画像からも、各解像度のスキャンデータの画像品質を簡易的に把握することができる。
【００２３】
請求項４に記載の発明によれば、コンピュータから指示された解像度のスキャンデータを、画像読取装置がコンピュータに送信した後は、不要となる蓋然性が高いその他の解像度からなるスキャンデータを消去するので、スキャンデータ記憶手段の記憶領域が確保され、スキャンデータ記憶手段を有効に活用することができる。
【００２４】
請求項５に記載の発明によれば、コンピュータから指示された解像度のスキャンデータを、画像読取装置がコンピュータに送信した後は、他の解像度に変換し易い変換前の元スキャンデータが残るので、スキャンデータを再度他の解像度に変換する必要が生じた場合等であっても、他の解像度のスキャンデータを容易に作成することができる。
【００２５】
請求項６に記載の発明によれば、ユーザによって任意の解像度で、スキャナ手段による原稿読取時の解像度、又はスキャンデータ変換手段によるスキャンデータ変換時の解像度の少なくとも一方が設定されるので、ユーザが所望の解像度でスキャナ手段に原稿を読み込ませたり、この読み込まれたスキャンデータをユーザ所望の様々な解像度に変換したりすることができる。
【発明を実施するための最良の形態】
【００２６】
以下、本発明の一実施形態に係るファイル管理システム、画像読取装置、画像表示装置、及び画像表示プログラムについて図面を参照して説明する。図１は、本発明の一実施形態に係るファイル管理システムを示す図である。本発明の一実施形態に係るファイル管理システム１は、複合機（画像読取装置の一例）２…と、パーソナルコンピュータ（コンピュータ、画像表示装置の一例）３…とを備える。図１に示すように、ＬＡＮ（Local Area Network）を構成する通信ケーブル４によって、パーソナルコンピュータ３…と、複合機２…とが接続されている。なお、これらパーソナルコンピュータ３及び複合機２の数は１以上であれば特に限定されない。複合機２は、コピー（複合機能）以外にプリンタ、スキャナおよびファクシミリ機能等を有する所謂複合機であり、少なくとも、複合機２で読み込んだ原稿の画像データ（すなわち、スキャンデータ。以下、同じ）を各パーソナルコンピュータ３に配信することができようになっている。
【００２７】
複合機２は、原稿を読み取るための例えばＣＣＤ２４１を備えたスキャナ部（スキャナ手段）２４と、このスキャナ部２４による原稿読み取り位置に対して原稿を自動給送する原稿給送部２２と、スキャナ部２４により読み込まれた画像データに基づいて記録紙に画像を記録する画像記録部２６と、これらスキャナ部２４等を含む装置全体の動作制御を司る制御部２０とを備えている。この制御部２０がネットワークＩ／Ｆ２１を介して前記通信ケーブル４に接続されることにより、複合機２がネットワークスキャナ装置としての機能を果たすように構成されている。なお、スキャナ部２４による原稿読取画像度は、ユーザによる操作部２８の操作によって適宜設定変更が可能とされている。
【００２８】
前記制御部２０は、論理演算を実行する周知のＣＰＵ、そのＣＰＵを制御する種々のプログラムなどを予め記憶するＲＯＭおよび装置動作中に種々のデータを一時的に記憶するＲＡＭ等から構成されており、予め記憶されたプログラムに従って所定の画像記録動作等を実行すべくスキャナ部２４等を統括的に制御するように構成されている。例えば、複合機２をネットワークスキャナ装置として機能させる場合（画像データを何れかのパーソナルコンピュータ３に送信するために、複合機２を使って原稿を読み取る場合）には、後に詳述するように、制御部２０は、選定される読み取り解像度で原稿を読み取るべくスキャナ部２４を動作制御する。
【００２９】
さらに制御部２０は、スキャンデータ変換部２０１、プロパティ情報検出部２０２及びスキャンデータ送信部２０３として機能する。スキャンデータ変換部（スキャンデータ変換手段）２０１は、スキャナ部２４によって読み取られたスキャンデータを、上記読取解像度とは別の予め定められた解像度に変換するものである。例えば、スキャンデータ変換部２０１は、例えば、スキャナ部２４での読取解像度が600dpiであった場合に、当該解像度で読み取られたスキャンデータを、当該解像度よりも低い解像度である200dpi，300dpi，400dpi等に変換処理し、これら各解像度からなる変換後のスキャンデータをＨＤＤ２３の所定領域に記憶させる。なお、スキャンデータ変換部２０１によって変換する各解像度は、ユーザによる操作部２８の操作によって適宜設定変更が可能とされている。
【００３０】
プロパティ情報検出部（プロパティ情報検出手段）２０２は、スキャナ部２４によって読み取られたスキャンデータ、及びスキャンデータ変換部２０１によって変換された変換後の各スキャンデータについて、それぞれのスキャンデータの解像度及びデータ量情報を検出し、スキャンデータの特性を示すプロパティ情報の一部とするものである。プロパティ情報検出部２０２は、各プロパティ情報を対応するスキャンデータと関連付けてＨＤＤ２３の上記所定領域に記憶させる。
【００３１】
スキャンデータ送信部（スキャンデータ送信手段）２０３は、上記変換前後の各スキャンデータと、これらについての各プロパティ情報とを必要に応じて適宜パーソナルコンピュータ３に送信するものである。
【００３２】
制御部２０には、画像メモリ２５及びＨＤＤ２３が接続されている。画像メモリ２５は、スキャナ部２４で読み取った画像データ（原稿データ）を一時的に記憶する等に用いられる。ＨＤＤ（スキャンデータ記憶手段）２３は、スキャナ部２４によって読み取られた画像データや、各パーソナルコンピュータ３から送信される画像データ等を保存するものであり、上記のようにスキャンデータ変換部２０１によって変換された各スキャンデータ及びこれらについての各プロパティ情報が所定領域に記憶される。
【００３３】
複合機２には、さらに、ユーザが複合機２に対して各種設定を行うための操作キー２８１と、複合機２の動作状況をユーザに表示するＬＣＤ等からなる表示パネル２８２とを備えた操作部２８が設けられている。
【００３４】
この操作部２８は制御部２０に接続されており、制御部２０は、ユーザによる前記操作キー２８１の操作に基づいて各種動作を実行すべくスキャナ部２４等の駆動を制御するとともに、各種設定値（スキャナ部２４による原稿読取解像度、スキャンデータ変換部２０１による変換解像度等）や動作状況等をユーザに報知すべく表示パネル２８２による表示を制御するようになっている。
【００３５】
図２を参照してパーソナルコンピュータ３の構成を説明する。図２はパーソナルコンピュータ３の概略構成を示すブロック図である。パーソナルコンピュータ３は、制御部（制御手段）３１と、各種の動作プログラムが記憶されているＲＯＭ３２と、制御部３１の動作領域等として使用されるＲＡＭ３３と、複合機２から受信したデータ等の各種データを保存可能なＨＤＤ３４と、ＬＣＤ（Liquid Crystal Display）等からなるディスプレイ（表示手段）３５と、複合機２等との各種データ送受信を行うためのインタフェイスとして機能する通信Ｉ／Ｆ３６と、ユーザから各種の操作指示等が入力される入力装置（例えば、キーボードやマウスポインタ等）３７とを備える。通信Ｉ／Ｆ３６としては、有線無線を問わず各種のデータ転送手段が適用可能である。
【００３６】
制御部３１は、パーソナルコンピュータ３各部の動作を制御するものであり、表示制御部３１１と、解像度選択指示受付部３１２と、指示送信部３１３、指示受付部３１４としても機能する。表示制御部（表示制御手段）３１１は、複合機２のスキャンデータ送信部２０３から送信されてくる上記各プロパティ情報をディスプレイ３５に表示させる。解像度選択指示受付部３１２は、表示制御部３１１によってディスプレイ３５にプロパティ情報が表示されているときに、当該プロパティ情報として表示されている解像度の中から、ユーザによる入力装置３７の操作で入力される、所望の解像度を選択する指示をユーザから受け付ける。指示送信部３１３は、解像度選択指示受付部３１２によって受け付けられた解像度選択指示を通信Ｉ／Ｆ３６を介して複合機２に対して送信する。指示受付部（保存指示受付手段）３１４は、表示制御部３１１がディスプレイ３５に表示させているスキャンデータの保存指示等を受け付ける。この保存指示は、例えば、ユーザによる入力装置３７の操作で入力される。
【００３７】
なお、制御部３１は、上記表示制御部３１１、解像度選択指示受付部３１２、指示送信部３１３及び指示受付部３１４が個別に回路等で構成されていてもよいし、また、ＲＯＭ３２又はＨＤＤ３４等に記憶されている画像表示プログラムに従って、ＣＰＵが上記表示制御部３１１、解像度選択指示受付部３１２、指示送信部３１３及び指示受付部３１４として動作する構成としてもよい。
【００３８】
次に、ファイル管理システム１において、複合機２で読み取られたスキャンデータをパーソナルコンピュータ３に保存する処理の第１実施形態を説明する。図３は、ファイル管理システム１において、複合機２で読み取られたスキャンデータをパーソナルコンピュータ３に保存する処理を示すフローチャート、図４乃至図７はスキャンデータ保存時におけるパーソナルコンピュータ３のディスプレイ３５の表示画面例を示す図である。
【００３９】
複合機２において、ユーザによる操作部２８の操作で原稿読取指示が入力されると（Ｓ１でＹＥＳ）、制御部２０は、スキャナ部２４に、例えば、最高解像度で読取対象原稿を読み取らせ（Ｓ２）、読み取ったスキャンデータをＨＤＤ２３に記憶させる（Ｓ３）。スキャンデータを読取解像度以外の解像度に変換する場合、読取解像度よりも高い解像度に変換することはできないため、スキャナ部２４による原稿読取解像度を最高解像度として、スキャンデータを変換できる解像度の幅を拡げている。また、スキャナ部２４による当該原稿読み取り時の解像度は、ユーザによる操作部２８の操作で適宜設定変更が可能とされ、ユーザ所望の解像度でスキャン可能とされる。なお、ユーザから原稿読み取り指示が入力されない場合は（Ｓ１でＮＯ）、Ｓ２乃至Ｓ５をスキップしてＳ６に進む。
【００４０】
そして、スキャンデータ変換部２０１は、上記高解像度で読み取られたスキャンデータに基づいて、上記解像度よりも低い解像度からなる画像データを複数作成する（Ｓ４）。すなわち、例えば、スキャンデータ変換部２０１は、例えば、スキャナ部２４での読取解像度が600dpiであったとすると、当該解像度よりも低い解像度である200dpi，300dpi，400dpi等のスキャンデータを作成して、これら変換前後のスキャンデータをＨＤＤ２３の所定領域に保存しておく。なお、スキャンデータ変換部２０１によって作成される各解像度は、ユーザによる操作部２８の操作によって適宜設定変更が可能とされ、ユーザ所望の解像度のスキャンデータが作成されるようになっている。
【００４１】
上記各解像度の画像データ作成後、プロパティ情報検出部２０２が、各解像度の画像データのデータ量を検出する。すなわち、プロパティ情報検出部２０２によって、各画像データの解像度及びデータ量がプロパティ情報として検出される（Ｓ５）。検出された各プロパティ情報は各画像データに付随させてＨＤＤ２３に保存される。なお、変換前の元スキャンデータが、基本スキャンデータとしてＨＤＤ２３に記憶され、変換された他の解像度のスキャンデータは予備的な第２群スキャンデータとしてＨＤＤ２３に記憶される。パーソナルコンピュータ３からの要求に基づいて、パーソナルコンピュータ３に複合機２のＨＤＤ２３内のファイル概要をサムネイル等で表示させる場合には（例えば図４）、上記基本スキャンデータが用いられる。
【００４２】
パーソナルコンピュータ３が複合機２にアクセスし、パーソナルコンピュータ３において、複合機２のＨＤＤ２３内の各ファイルの概要が、図４に示すような状態でディスプレイ３５に表示されているときに、ユーザによる入力装置３７の操作（例えば、マウスポインタで所望のファイルを右クリックする等の操作）がされ、所望のファイルが指定されると（ＳＳ１でＹＥＳ）、指示送信部３１３が、複合機２に対して当該指定されたファイルのプロパティ情報の送信を要求する（ＳＳ２）。
【００４３】
複合機２において、パーソナルコンピュータ３からのプロパティ情報送信要求が、ネットワークＩ／Ｆ２１を介して制御部２０に受け付けられると（Ｓ６でＹＥＳ）、スキャンデータ送信部２０３は、ＨＤＤ２３から変換前後の各画像データについてのプロパティ情報をパーソナルコンピュータ３に対して送信する（Ｓ７）。ここでは、パーソナルコンピュータ３からプロパティ情報送信要求を複合機２に送信し、複合機２がプロパティ情報をパーソナルコンピュータ３に送信すると表現しているが、かかる処理には、パーソナルコンピュータ３が複合機２にアクセスして、複合機２が保有する上記プロパティ情報を取得するあらゆる処理を広く含むものとする。なお、パーソナルコンピュータ３からのプロパティ情報送信要求が受け付けられない場合は（Ｓ６でＮＯ）、Ｓ７の処理をスキップする。
【００４４】
パーソナルコンピュータ３において、上記各プロパティ情報が通信Ｉ／Ｆ３６を介して制御部３１に受信されると、表示制御部３１１が当該各プロパティ情報をディスプレイ３５に表示させる（ＳＳ３）。例えば、ユーザが名称「会議」のファイルを指定していた場合、図５に示すように、複合機２から受信した各プロパティ情報は、各解像度別にそのデータ量が表示される。これにより、複合機２のスキャナ部２４によって最高解像度で読み取られたスキャンデータを、複数の異なる解像度に変換した場合における各解像度とそのデータ量との関係がユーザに明瞭に認識させることできるようになっている。
【００４５】
ここで、ユーザがマウスポインタ（入力装置３７）を、所望の解像度が表示されている部分に合わせ、左ダブルクリック操作すること等によって、所望の解像度を選択すると（ＳＳ４でＹＥＳ）、解像度選択指示受付部３１２が当該選択を受け付け、指示送信部３１３が、選択された解像度からなるスキャンデータの送信を複合機２に対して要求する（ＳＳ５）。
【００４６】
複合機２では、制御部２０が、ネットワークＩ／Ｆ２１を介して上記画像データ送信要求を受信すると（Ｓ８でＹＥＳ）、指示された解像度からなるスキャンデータをＨＤＤ２３から読み出し、この読み出されたスキャンデータをスキャンデータ送信部２０３がパーソナルコンピュータ３に対して送信する（Ｓ９）。制御部２０が上記画像データ送信要求を受信しない場合は（Ｓ８でＮＯ）、Ｓ９の処理をスキップする。
【００４７】
パーソナルコンピュータ３では、制御部３１が通信Ｉ／Ｆ３６を介して上記スキャンデータを受信すると、表示制御部３１１が、当該受信した画像データを図６に示すようにディスプレイ３５に表示させる（ＳＳ６）。すなわち、ユーザによってＳＳ４で選択された解像度のスキャンデータの内容が、サムネイル表示よりも大きな状態でディスプレイ３５に拡大表示される。ここで、ユーザによる入力装置３７の操作によって、当該拡大表示されているスキャンデータの保存指示が入力され、指示受付部３１４に受け付けられると（ＳＳ７でＹＥＳ）、制御部３１は当該拡大表示されているスキャンデータ、すなわちユーザによって選択された解像度からなる画像データであって、複合機２から受信されたスキャンデータをＨＤＤ３４に保存する（ＳＳ８）。ユーザによる上記スキャンデータ保存指示の入力は、例えば、ユーザがマウスポインタ（入力装置３７）を当該拡大表示部分に合わせて右クリック操作等すると、図７に示すように、拡大表示部分の近傍に操作メニューＭが表示され、ユーザがマウスポインタで「切取」表示部分を左クリックする操作等によって行われるようになっている。
【００４８】
上記スキャンデータ保存の終了後、指示送信部３１３は、画像データの保存終了通知を複合機２に対して送信する（ＳＳ９）。複合機２において、制御部２０（スキャンデータ消去手段）がネットワークＩ／Ｆ２１を介して当該保存終了通知を受信すると（Ｓ１０でＹＥＳ）、パーソナルコンピュータ３に保存された上記解像度からなるスキャンデータ、すなわち、パーソナルコンピュータ３に対して送信を終えたスキャンデータを残して、当該解像度以外の解像度からなる各スキャンデータをＨＤＤ２３から消去する（Ｓ１１）。この消去により、ＨＤＤ２３内の空き容量を増やすようにしている。制御部２０が上記保存終了通知を受信しない場合は（Ｓ１０でＮＯ）、Ｓ１１の処理は行わず、各解像度からなるスキャンデータを残しておく。
【００４９】
なお、上記パーソナルコンピュータ３側の処理において、ＳＳ１及びＳＳ７のそれぞれでＮＯの場合は、処理は終了する。
【００５０】
なお、Ｓ１１の処理に代えて、パーソナルコンピュータ３へのスキャンデータ送信後、制御部２０（スキャンデータセーブ手段）は、スキャナ部２４で読み取った元スキャンデータをＨＤＤ２３に残し、元スキャンデータ以外のスキャンデータを消去するようにしてもよい。この場合には、ＨＤＤ２３内の空き容量を増やしつつ、最も高い解像度のスキャンデータをＨＤＤ２３に残すので、低解像度のスキャンデータを再度作成することが可能になるし、また、他の画像処理を行う場合にも最も高い解像度のスキャンデータに基づいて行うことができるため利用価値が高い。
【００５１】
ファイル管理システム１によって、このような一連の処理を行うことで、ある原稿を複数の解像度で読み込んだ場合におけるそれぞれのスキャンデータ量をユーザがパーソナルコンピュータ３側で把握することができると共に、各解像度からなるそれぞれの画像データの内容がディスプレイ３５に大きく表示されるので、各解像度の画像データの画像品質を確認することができる。
【００５２】
本発明は上記実施の形態の構成に限られず種々の変形が可能である。例えば、上記実施形態では、図３に示した上記ファイル管理システム１による処理では、パーソナルコンピュータ３は、ユーザによって所望のファイルが指定された場合、複合機２から当該ファイルの各解像度のスキャンデータについてのプロパティ情報のみを取得するようにしているが、パーソナルコンピュータ３が、複合機２から、ＨＤＤ２３に記憶されている各解像度のそれぞれのスキャンデータのサムネイル画像データを取得し、図８に示すように、プロパティ情報と共に当該サムネイル画像データをディスプレイ３５に表示するようにしてもよい。このようにすれば、ユーザは、ディスプレイ３５に表示された各サムネイル画像に基づいても、各解像度の画像データの画像品質を大まかに把握することができる。
【００５３】
また、上記実施形態では、本発明に係る画像読取装置を複合機２として説明しているが、複合機２はあくまでも画像読取装置の一例であり、本発明に係る画像読取装置を複合機２に限定する趣旨ではない。同様に、上記実施形態では、本発明に係る画像表示装置をパーソナルコンピュータ３として説明しているが、パーソナルコンピュータ３はあくまでも画像表示装置の一例であり、本発明に係る画像表示装置をパーソナルコンピュータ３に限定する趣旨ではない。
【００５４】
また、上記図１乃至図８で示した構成及び処理は、あくまでも一例であり、本発明は上記に示した構成及び処理に限定されるものではない。
【図面の簡単な説明】
【００５５】
【図１】本発明の一実施形態に係るファイル管理システムを示す図である。
【図２】パーソナルコンピュータの概略構成を示すブロック図である。
【図３】ファイル管理システムにおいて、複合機で読み取られたスキャンデータをパーソナルコンピュータに保存する処理を示すフローチャートである。
【図４】スキャンデータ保存時におけるパーソナルコンピュータのディスプレイの表示画面例を示す図である。
【図５】スキャンデータ保存時におけるパーソナルコンピュータのディスプレイの表示画面例を示す図である。
【図６】スキャンデータ保存時におけるパーソナルコンピュータのディスプレイの表示画面例を示す図である。
【図７】スキャンデータ保存時におけるパーソナルコンピュータのディスプレイの表示画面例を示す図である。
【図８】スキャンデータ保存時におけるパーソナルコンピュータのディスプレイの表示画面例を示す図である。
【符号の説明】
【００５６】
１        ファイル管理システム
２        複合機
２０      制御部
２０１    スキャンデータ変換部
２０２    プロパティ情報検出部
２０３    スキャンデータ送信部
２４      スキャナ部
３        パーソナルコンピュータ
３１      制御部
３１１    表示制御部
３１２    解像度選択指示受付部
３１３    指示送信部
３１４    指示受付部
３５      ディスプレイ
３７      入力装置
【図１】
2006211387.tif 000003
【図２】
2006211387.tif 000004
【図３】
2006211387.tif 000005
【図４】
2006211387.tif 000006
【図５】
2006211387.tif 000007
【図６】
2006211387.tif 000008
【図７】
2006211387.tif 000009
【図８】
2006211387.tif 000010